(57)【要約】【課題】簡単な構成で、しかも化粧料上面と化粧用パフとを、互いに隙間をあけた状態で容器内に収容することのできる、衛生的で使い勝手のよい化粧料容器を提供する。【解決手段】上面１３ａに化粧料１１が収容された化粧料収容用の凹部１２が設けられた容器本体１３と、蓋体１４と、化粧用パフ１６とを備え、上記化粧用パフ１６が、上記凹部１２の開口より一回り大きな形状に設定されているとともに、上記上面１３ａの、上記凹部１２の開口の周縁部に、周方向に所定間隔で、他の部分より一段高い突出部２２〜２５が形成されており、上記化粧用パフ１６の下面が、化粧料１１の上面から一段高く持ち上げられた状態で保持されている。【選択図】図１
2015205131.tif 000002
【特許請求の範囲】
【請求項１】
上面に化粧料収容用凹部が設けられ、その凹部内に化粧料が収容された容器本体と、この容器本体を蓋する蓋体と、上記凹部内に収容された化粧料の上に配置される化粧用パフとを備えた化粧料容器であって、上記化粧用パフが、上記化粧料収容用凹部の開口より一回り大きな形状に設定されているとともに、上記容器本体上面の、上記凹部開口の周縁部に、周方向に所定間隔で、他の部分より一段高い突出部が複数形成されており、上記化粧用パフの下面が、これらの突出部によって上記凹部内に収容された化粧料の上面から一段高く持ち上げられた状態で保持されるようになっていることを特徴とする化粧料容器。
【請求項２】
上記化粧用パフ下面の、周縁部の全長を１とすると、その周縁部のうち容器本体上面に設けられた突出部に当接する部分の周方向の長さの総和が、０．１〜０．５に設定されている請求項１記載の化粧料容器。
【請求項３】
上記化粧用パフが、厚み３．０〜１２．０ｍｍであり、上記突出部によって保持された化粧用パフの下面と化粧料の上面との間の距離が０．５〜３．０ｍｍに設定されている請求項１または記載の化粧料容器。
【請求項４】
上記容器本体上面の、化粧料収容用凹部の開口を含む面積を１とすると、その面のうち化粧用パフで覆われる部分の面積が、０．６０〜０．９０に設定されている請求項１〜３のいずれか一項に記載の化粧料容器。
【発明の詳細な説明】
【技術分野】
【０００１】
本発明は、容器本体に収容される化粧料の上に、保護シートを介することなく直接化粧用パフを配置してなる化粧料容器に関するものである。
【背景技術】
【０００２】
従来、ファンデーション等の化粧料を収容する容器として、例えば図７に示すように、容器本体１と、これを蓋する蓋体２とを、互いにその奥端部でヒンジ連結して開閉するようにしたコンパクトタイプの化粧料容器がよく知られている。２ａは蓋体２の内側面に貼付される鏡である。
【０００３】
上記容器本体１には、その上面に、化粧料収容用の凹部３が設けられ、その凹部３内にファンデーション等の化粧料４が直接もしくは中皿に充填された状態で収容されている。そして、上記化粧料４の上面には、透明な保護シート５を介して、略板状の化粧用パフ６が載置されるようになっている。この保護シート５は、肌に使用して皮脂や水分が付着した化粧用パフ６が化粧料４と直接接しないよう両者を仕切るためのもので、化粧料４が衛生的に保たれるよう配慮したものである。
【０００４】
しかしながら、上記保護シート５は、化粧時には邪魔になるため、容器から取り出して近くに置くか容器と一緒に手に持つ必要があり、その取り扱いが面倒であるという問題がある。また、保護シート５は薄くて透明なため、近くに置いた場合や床に落とした場合、見つけにくく、紛失しやすいという問題もある。
【０００５】
そこで、最近は、上記保護シート５の一端側をコ字状に折り返して、その折り返し部分を容器本体１側に折り込んだものが多く出回っている（特許文献１等を参照）。また、容器本体１と蓋体２との間に、化粧用パフ６を載置するための中蓋を設けたものも提案されている（特許文献２等を参照）。
【先行技術文献】
【特許文献】
【０００６】
【特許文献１】特開２００５−２３０４５２号公報
【特許文献２】特開平１１−２２０号公報
【発明の概要】
【発明が解決しようとする課題】
【０００７】
しかしながら、上記特許文献１のように、保護シート５を折り返して容器本体１に組み込んだものは、製造に手間を要する上、これを使用する顧客にとっても、使用の都度、折り目の付いた保護シート５を側方に開いたり閉じたりする手間がかかるため、使い勝手がいま一つ良好でないという問題を有している。また、上記特許文献２のように、化粧用パフ６を載置するための中蓋を設けたものは、容器の構造が複雑になる上、容器が厚み方向に嵩張るという問題を有している。
【０００８】
本発明は、このような事情に鑑みなされたもので、保護シートや中蓋を用いる必要がなく簡単な構成で、しかも化粧料上面と化粧用パフとを、互いに隙間をあけた状態で容器内に収容することのできる、衛生的で使い勝手のよい化粧料容器の提供をその目的とする。
【課題を解決するための手段】
【０００９】
上記の目的を達成するため、本発明は、上面に化粧料収容用凹部が設けられ、その凹部内に化粧料が収容された容器本体と、この容器本体を蓋する蓋体と、上記凹部内に収容された化粧料の上に配置される化粧用パフとを備えた化粧料容器であって、上記化粧用パフが、上記化粧料収容用凹部の開口より一回り大きな形状に設定されているとともに、上記容器本体上面の、上記凹部開口の周縁部に、周方向に所定間隔で、他の部分より一段高い突出部が複数形成されており、上記化粧用パフの下面が、これらの突出部によって上記凹部内に収容された化粧料の上面から一段高く持ち上げられた状態で保持されるようになっている化粧料容器を第１の要旨とする。
【００１０】
また、本発明は、そのなかでも、特に、上記化粧用パフ下面の、周縁部の全長を１とすると、その周縁部のうち容器本体上面に設けられた突出部に当接する部分の周方向の長さの総和が、０．１〜０．５に設定されている化粧料容器を第２の要旨とする。
【００１１】
さらに、本発明は、それらのなかでも、特に、上記化粧用パフが、厚み３．０〜１２．０ｍｍであり、上記突出部によって保持された化粧用パフの下面と化粧料の上面との間の距離が０．５〜３．０ｍｍに設定されている化粧料容器を第３の要旨とし、上記容器本体上面の、化粧料収容用凹部の開口を含む面積を１とすると、その面のうち化粧用パフで覆われる部分の面積が、０．６０〜０．９０に設定されている化粧料容器を第４の要旨とする。
【発明の効果】
【００１２】
すなわち、本発明の化粧用容器は、化粧用パフを、容器本体に収容された化粧料の上面から隙間をあけた状態で保持するために保護シートや中蓋を用いるのではなく、容器本体の化粧料収容用凹部の開口縁部に、複数の突出部を所定間隔で直接設け、これら複数の突出部によって、化粧用パフを持ち上げて保持するようにしたものである。この構成によれば、容器内において、化粧用パフが、容器本体に収容された化粧料の上面から隙間をあけた状態で保持されるだけでなく、これを保持する突出部と突出部の間にも隙間が形成されて、これらの隙間で空気が出入りするため、上記化粧用パフと化粧料の間で空気がよどむことがない。したがって、使用によって皮脂や水分が付着した化粧用パフの下面や化粧料の上面がすぐに乾燥して、不衛生にならないという利点を有する。また、化粧料の表面を覆う保護シートがなくても、化粧料上面が、それより一回り大きな化粧用パフで覆われるため、蓋体の内側面やそこに貼付される鏡の表面に化粧料が付着して汚れることがないという利点も有する。
【００１３】
しかも、上記構成によれば、化粧用パフを持ち上げるために特殊な機構を組み込む必要がなく、容器本体上面の余白スペースを利用して複数の突出部を形成するだけで化粧用パフを持ち上げた状態で保持することができるため、化粧料収容用凹部の開口より一回り大きな化粧用パフを用いるにもかかわらず、化粧料容器自体は周方向に嵩張ることがなく、容器全体がコンパクトであるという利点を有する。
【００１４】
なお、本発明のなかでも、特に、上記化粧用パフ下面の、周縁部の全長を１とすると、その周縁部のうち容器本体上面に設けられた突出部に当接する部分の周方向の長さの総和が、０．１〜０．５に設定されているものは、化粧用パフをとりわけ安定的に保持することができ、しかもその保持手段である突出部と突出部との間隔が、空気の流動に適した大きな間隔となるため、好適である。
【００１５】
また、本発明のなかでも、特に、上記化粧用パフが、厚み３．０〜１２．０ｍｍであり、上記突出部によって保持された化粧用パフの下面と化粧料の上面との間の距離が０．５〜３．０ｍｍに設定されているものは、化粧用パフと化粧料とを充分に衛生的に保つことができ、しかも化粧料容器全体が厚み方向に嵩張らないものとなるため、好適である。
【００１６】
さらに、本発明のなかでも、特に、上記容器本体上面の、化粧料収容用凹部の開口を含む面積を１とすると、その面のうち化粧用パフで覆われる部分の面積が、０．６０〜０．９０に設定されているものは、容器本体上面のスペースに納まる範囲で、従来に比べて大きな化粧用パフを提供することができ、好適である。
【図面の簡単な説明】
【００１７】
【図１】本発明の一実施の形態である化粧料容器の、蓋体を開けた状態を示す斜視図である。
【図２】上記化粧料容器の、蓋体を閉じた状態を示すＡ−Ａ′断面図である。
【図３】上記化粧料容器の容器本体を示す平面図である。
【図４】（ａ）〜（ｄ）は、いずれも上記化粧料容器における突出部の配置の変形例を示す模式的な平面図である。
【図５】本発明の他の実施の形態を示す説明図である。
【図６】本発明のさらに他の実施の形態を示す説明図である。
【図７】従来の化粧料容器の一例を示す説明図である。
【発明を実施するための形態】
【００１８】
つぎに、本発明の実施の形態を図面にもとづいて詳しく説明する。ただし、本発明は、この実施の形態に限定されるものではない。
【００１９】
図１は、本発明の化粧料容器の一実施の形態を示している。この化粧料容器は、上面に、中皿１０に充填された化粧料１１を収容する化粧料収容用凹部（以下「凹部」と略す）１２が設けられた容器本体１３と、これを蓋する蓋体１４とが、互いの後端部でヒンジ連結された構成になっている。１５は蓋体１４の内側面に貼付された鏡であり、１６は化粧料１１の上に配置される化粧用パフである。なお、容器本体１３の前端部には、蓋体１４を開閉するためのフックピース１７と係合用凸部１８（図２参照）とが設けられ、蓋体１４の前端部には、上記係合用凸部１８と係合する係止片１９が設けられている。そして、このフックピース１７を押し込むことにより、容器本体１３側の係合用凸部１８と蓋体１４側の係止片１９との係合が外れて蓋体１４が開くようになっている。
【００２０】
上記容器本体１３は、図１のＡ−Ａ′断面図である図２（蓋体１４を閉じた状態）と、蓋体１４を外して上からみた平面図である図３に示すように、その上面１３ａの周縁部のうち、後端部に設けられたヒンジ連結用の切欠き部２０を除いた部分に、所定高さの周壁２１が設けられている。なお、フックピース１７が取り付けられている部分は、容器本体１３の上面１３ａが一段低くなって凹んでいるため、この部分の周壁２１′は、その凹形状に沿って薄肉で容器内側に入り込んだ形になっている。
【００２１】
そして、上記容器本体１３の上面１３ａのうち、化粧料１１を収容する凹部１２の開口と上記周壁２１とに挟まれた四隅の部分に、図３において細かい斜線で示すように、化粧用パフ１６を持ち上げて保持するための突出部２２〜２５が形成されている。この四つの突出部２２〜２５によって、化粧用パフ１６の下面と化粧料１１の上面との間の距離（図２においてＨで示す）が２．８ｍｍとなるよう化粧用パフ１６が持ち上げられ、両者の間に、空気が流動する隙間Ｐが形成されるようになっている。また、化粧用パフ１６の上面は、蓋体１４の内側面に設けられた鏡１５と接さず、両者の間にわずかな隙間が形成されるようになっている。この隙間の距離（図２においてＤで示す）は０．５ｍｍに設定されている。
【００２２】
上記の構成によれば、容器本体１３の凹部１２の開口縁部に、複数の突出部２２〜２５（この例では４個）が所定間隔で直接設けられ、これら複数の突出部２２〜２５によって、化粧用パフ１６が、容器本体１３に収容された化粧料１１の上面から隙間Ｐをあけた状態で保持されている。しかも、上記化粧用パフ１６を保持する突出部２２〜２５同士の間にも隙間が形成されているため、その隙間を通して空気が出入りして動き、上記化粧用パフ１６と化粧料１１の間で空気がよどむことがない。したがって、使用によって皮脂や水分が付着した化粧用パフ１６の下面や化粧料１１の上面がすぐに乾燥して、不衛生にならないという利点を有する。また、化粧料１１の上面が、それより一回り大きな化粧用パフ１６で覆われるため、蓋体１４の内側面やそこに貼付された鏡１５の表面に化粧料１１が付着して汚れることがないという利点も有する。
【００２３】
しかも、上記構成によれば、化粧用パフ１６を持ち上げるために特殊な機構を組み込む必要がなく、容器本体１３の上面１３ａの余白スペースを利用して複数の突出部２２〜２５を形成するだけでよいため、凹部１２の開口より大きな化粧用パフ１６を収容しても、容器自体は周方向に嵩張ることがなく、容器全体がコンパクトであるという利点を有する。
【００２４】
なお、上記の例において、化粧用パフ１６持ち上げ用の突出部２２〜２５を形成する領域面積は、少ない方が、上記隙間Ｐにおける空気の流動性が大きく、化粧用パフ１６と化粧料１１を衛生的に保つ上で好ましいが、あまり少なすぎても、化粧用パフ１６を安定的に保持することが困難となって好ましくない。したがって、例えば化粧用パフ１６の周縁部の全長を１とした場合、その化粧用パフ１６の周縁部が突出部２２〜２５に当接する部分の周方向の長さ（図３においてギザギザ線Ｘで示す）の総和が、０．１〜０．５となるよう設定することが好ましい。
【００２５】
また、上記突出部２２〜２５の配置によっても、化粧用パフ１６の保持安定性や、化粧用パフ１６と化粧料１１とを清浄に保つ衛生性、さらには容器サイズのコンパクト性が左右されるのであり、より効果的な配置を選択することが望ましい。すなわち、上記の例では、平面視矩形の化粧料容器において、通常、余白スペースになっている容器本体１３の上面１３ａの四隅にそれぞれ突出部２２〜２５を形成することにより、容器サイズをコンパクトに保ち、しかも突出部２２〜２５同士の間に充分な隙間があくようにして、化粧用パフ１６と化粧料１１との間での空気の流動性を確保しているが、この配置は、上記の例に限るものではない。
【００２６】
例えば、図４（ａ）は、化粧用パフ１６持ち上げ用の突出部として、３つの突出部２２、２３、２６を設けた例であり、図４（ｂ）は、２つの突出部２７、２８を設けた例である。すなわち、図４（ａ）では、図１に示す例と同様、容器手前側の余白スペースを利用して、左右２個の突出部２２、２３を設けるとともに、奥側に、左右方向に細長く延びる突出部２６を設けている。また、図４（ｂ）では、左右の、周壁２１と凹部１２の開口との間に、前後に細長く延びる突出部２７、２８を設けている。これらの例においても、上記の例と概ね同様の効果を奏することができる。ただし、図４（ａ）に示す例のように、容器本体１３の奥側に突出部２６を左右方向に延びた状態で設けると、隙間Ｐにおける空気の流動性がやや劣ることが判明した。これは、容器本体１３と蓋体１４とのヒンジ連結部において比較的隙間があり、この部分において容器の内外で空気がより流動しやすいにもかかわらず、図４（ａ）に示すように、この部分に突出部２６を形成すると、上記空気の流動が遮られるため、図４（ｂ）に示す例に比べて空気の流動性がやや劣るようになると考えられる。
【００２７】
また、化粧用パフ持ち上げ用の突出部を、容器手前の中央に設けることも考えられるが、化粧用パフ１６を使用する場合、前後に化粧用パフ１６を動かして化粧料１１をこすり取る動作を行うため、容器手前の中央に突出部が設けられていると、化粧用パフ１６が突出部に当たりやすく、動作の邪魔になるおそれがあり、好ましくない。
【００２８】
さらに他の例として、図４（ｃ）に示すように、容器奥側に左右２個の突出部２４、２５を設け、容器手前側には突出部を設けないようにしたものをあげることができる。この例では、化粧用パフ１６を、奥側の突出部２４、２５だけで片持ち状態で持ち上げることにより、化粧料１１の上面との間に隙間Ｐをつくるようしたものである。この例において、化粧用パフ１６の下面と化粧料１１の上面との距離Ｈ（図２参照）は、傾いた化粧料パフ１６の中間の高さにある下面と化粧料１１の上面との距離とする。この例によれば、化粧用パフ１６の手前側を手で把持して化粧を行った後、化粧料１１が付着した部分を容器奥側に向けて置くことにより、その部分を容器本体１３内の化粧料１１の上面から持ち上げた状態で保持することができ、衛生的である。
【００２９】
また、図１〜３に示す例と同様、容器本体１３の上面１３ａの四隅に突出部２２〜２５を設ける際、図４（ｄ）に示すように、突出部２２〜２５の形成領域をより狭くして、容器本体１３の上面の四隅を空けるようにしてもよい。このようにすると、周壁２１に囲われた四隅においても空気が流動するため、化粧用パフ１６をより衛生的に保つことができる。
【００３０】
また、本発明において、化粧用パフ１６を持ち上げ保持するための突出部２２等は、必ずしも容器本体１３の上面１３ａから垂直に突出させる必要はなく、例えば図５に示すように、上面１３ａに緩やかなテーパをつけて突出部２２等を形成するようにしてもよい。
【００３１】
さらに、本発明は、平面視矩形状の化粧料容器に限るものではなく、様々な形状の容器に適用することができる。例えば、図６に示すような、平面視円形のものであってもよい。この場合も、図示のように、容器本体１３の上面１３ａのうち、周壁２１で囲われた部分と凹部１２の開口縁部との間に、周方向に沿って、複数個所（この例では４個所）に突出部２２′〜２５′を設けることにより、容器を嵩高くすることなく、化粧用パフ１６を衛生的に持ち上げ保持することができる。
【００３２】
そして、本発明において、上記突出部２２等の高さは、化粧用パフ１６の厚みや容器全体のデザイン等を考慮して設計されるが、通常、化粧用パフ１６の厚みが３．０〜１２．０ｍｍの場合、化粧用パフ１６の下面と化粧料１１の上面との間の距離Ｈ（図２参照）が０．５〜３．０ｍｍとなるような高さに設定することが好適である。すなわち、上記の範囲よりもＨが小さすぎると、化粧用パフ１６と化粧料１１の乾燥性が低下して衛生面で期待するほどの効果が得られなくなるおそれがあり、逆に、上記の範囲よりもＨが大きすぎると、容器全体が厚み方向に嵩高いものとなるおそれがあり、好ましくない。
【００３３】
また、本発明では、化粧用パフ１６の大きさを、容器本体１３の凹部１２の開口よりも一回り大きくすることができることが一つの利点である。すなわち、化粧用パフ１６を化粧料１１の上面から持ち上げて保持するため、化粧用パフ１６を大きくしても、これを衛生的に保つことができる。そして、化粧用パフ１６が大きいと、化粧がしやすく使い勝手がよい。
【００３４】
ちなみに、本発明において、容器本体１３の上面１３ａの、凹部１２の開口を含む面積［容器本体１３の平面視輪郭形状で囲われた部分、すなわち図４（ａ）において斜め格子状の斜線で示す部分Ｓ1の面積］を１とすると、この面のうち化粧用パフ１６で覆われる部分の面積［図４（ｂ）において粗い斜線で示す部分Ｓ2の面積］が０．６０〜０．９０となるよう設定すると、使い勝手のよい大きさの化粧用パフ１６となる。ただし、化粧用パフ１６で覆われる面積の占める割合が大きすぎると、容器から化粧用パフ１６を取り出しにくくなったり、空気の流動性が損なわれて湿気がこもりやすくなったりするおそれがあり、好ましくない。
【００３５】
また、化粧用パフ１６の材質は、パフとして用いられているどのようなものであってもよく、例えば、ＮＢＲ、ウレタン発泡ゴム、ラテックス、ポリビニルアルコール系ゴム、天然海綿等をあげることができる。なかでも、肌への使用感に優れ、しかも経時的にへたりにくい、ＮＢＲやウレタン発泡ゴムを用いることが好適である。
【００３６】
そして、本発明において、凹部１２内に収容する化粧料１１は、化粧用パフ１６を用いて化粧するものであれは、どのようなものであってもよく、ファンデーションの他、下地料、コンシーラー、フェイスカラー等、各種の化粧料をあげることができる。
【産業上の利用可能性】
【００３７】
本発明は、化粧用パフが化粧料上面に対して隙間をあけた状態で収容され、衛生的で使い勝手のよい化粧料容器に利用することができる。
【符号の説明】
【００３８】
１１  化粧料
１２  凹部
１３  容器本体
１３ａ  上面
１４  蓋体
１６  化粧用パフ
２２〜２５  突出部
【図１】
2015205131.tif 000003
【図２】
2015205131.tif 000004
【図３】
2015205131.tif 000005
【図４】
2015205131.tif 000006
【図５】
2015205131.tif 000007
【図６】
2015205131.tif 000008
【図７】
2015205131.tif 000009